(57)【要約】【課題】一定の濃度に希釈されたアスファルト付着防止剤を手軽に供給することのできるアスファルト付着防止剤の小分け装置を提供する。【解決手段】アスファルト付着防止剤の原液Ｌ１を水Ｗで希釈して所定濃度の希釈液Ｌ２を得るための小分け装置１に関する。前記原液Ｌ１を貯留するタンク３７と、水道水Ｗの水圧を所定圧に減圧する減圧弁１２と、前記減圧弁１２で減圧された水道水Ｗが流れている流路Ｌに前記タンク３７からの原液Ｌ１を混入させて混合することで所定濃度の希釈液Ｌ２を生成する混合装置１６と、前記混合装置１６から吐出された希釈液Ｌ２の給液量を計量する計量手段１７，３４と、前記希釈液Ｌ２を吐出するノズル１９と、前記希釈液Ｌ２が前記ノズル１９から吐出されるのを停止させる開閉弁１４とを備えている。【選択図】図２
2009136765.tif 000002
【特許請求の範囲】
【請求項１】
アスファルト付着防止剤の原液を水で希釈して所定濃度の希釈液を得るための小分け装置であって、
前記原液を貯留するタンクと、
水道水の水圧を所定圧に減圧する減圧弁と、
前記減圧弁で減圧された水道水が流れている流路に前記タンクからの原液を混入させて混合することで所定濃度の希釈液を生成する混合装置と、
前記混合装置から吐出された希釈液の給液量を計量する計量手段と、
前記希釈液を吐出するノズルと、
前記希釈液が前記ノズルから吐出されるのを停止させる開閉弁とを備えたアスファルト付着防止剤の小分け装置。
【請求項２】
請求項１において、前記減圧弁から混合装置に至る流路に水の流量を調整する流量調整弁が更に設けられたアスファルト付着防止剤の小分け装置。
【請求項３】
請求項１もしくは２において、前記開閉弁が前記減圧弁から前記混合装置に至る流路に設けられているアスファルト付着防止剤の小分け装置。
【請求項４】
請求項３において、前記ノズルと前記混合装置との間に更に弁が設けられたアスファルト付着防止剤の小分け装置。
【請求項５】
請求項１〜４のいずれか１項において、
前記計量手段により計量された希釈液の給液量が予め設定された所定量となったときに前記開閉弁を閉止して前記ノズルから吐出される希釈液を所定量とする制御手段を更に備えたアスファルト付着防止剤の小分け装置。
【発明の詳細な説明】
【技術分野】
【０００１】
本発明は、アスファルト付着防止剤の小分け装置に関する。
【背景技術】
【０００２】
従来、アスファルトをダンプカーなどで配送する場合や、道路に圧設する場合などにおいて、アスファルトがダンプカーの荷台や圧設用機器に付着するのを防止するためにアスファルト付着防止剤が用いられている。
かかるアスファルト付着防止剤は、環境保全の観点から植物油や食用油をベースとしたものが提案されている（特許文献１〜３参照）。
【特許文献１】特表平１０−５０６９４２号（要約）
【特許文献２】特開２０００−７３０１１（要約）
【特許文献３】特開２００６−２９９１７４（要約）
【０００３】
前記アスファルト付着防止剤は、原液をそのまま使用するには濃度が高すぎるので、たとえば水などで所定の濃度に希釈されて用いられる。そのため、前記付着防止剤は必要な時に必要な量だけ一定の濃度に希釈され供給されることが望ましい。
しかし、これまで、前記アスファルト付着防止剤を必要に応じて、その都度小分けして供給する装置がなかった。
【０００４】
したがって、本発明の目的は、一定の濃度に希釈されたアスファルト付着防止剤を手軽に供給することのできるアスファルト付着防止剤の小分け装置を提供することである。
【発明の開示】
【０００５】
本発明のアスファルト付着防止剤の小分け装置は、アスファルト付着防止剤の原液を水で希釈して所定濃度の希釈液を得るための小分け装置であって、前記原液を貯留するタンクと、水道水の水圧を所定圧に減圧する減圧弁と、前記減圧弁で減圧された水道水が流れている流路に前記タンクからの原液を混入させて混合することで所定濃度の希釈液を生成する混合装置と、前記混合装置から吐出された希釈液の給液量を計量する計量手段と、前記希釈液を吐出するノズルと、前記希釈液が前記ノズルから吐出されるのを停止させる開閉弁とを備えている。
【０００６】
本発明によれば、混合装置によりアスファルト付着防止剤の原液と水道水とが一定の濃度に混合された希釈液を生成し、ノズルから該希釈液を供給することができる。
また、前記混合装置から吐出された希釈液の供給量を計量する計量手段と、前記希釈液がノズルから吐出されるのを停止させる開閉弁とを備えているので、所定量の希釈液を供給することができる。
【０００７】
なお、“ノズル”とは、筒口からなる吐出口のことをいい、アスファルト付着防止剤が供給される容器の供給口に合う大きさに設定される。
【０００８】
本発明の好適な実施例においては、前記減圧弁から混合装置に至る流路に水の流量を調整する流量調整弁を更に設ける。
かかる態様によれば、流量調整弁を用いて水の流量を一定に調整することにより、水と原液との混合精度を向上させることができる。
【０００９】
本発明において、前記開閉弁が前記減圧弁から前記混合装置に至る流路に設けられているのが好ましい。
水道水の水圧によってアスファルト付着防止剤の原液が吸い上げられる方式の混合装置を採用した場合には、混合装置の上流で水道水の遮断を行うことにより、前記混合装置にウォータハンマによる水圧が作用するのを防止し得ると共に、正確な混合比のアスファルト付着防止剤を得ることができる。
【００１０】
本発明において、前記ノズルと前記混合装置との間に更に弁が設けられているのが好ましい。
本態様によれば、ノズルから希釈液が垂れるのを防止できる。
前記「弁」としては、逆止弁や、ノズルにアスファルト付着防止剤の供給・停止を行う操作弁を設けることができる。
【００１１】
本発明の好ましい例においては、前記計量手段により計量された希釈液の給液量が予め設定された所定量となったときに前記開閉弁を閉止して前記ノズルから吐出される希釈液を所定量とする制御手段を更に備えている。
希釈液の必要な量は、希釈液を使う前に分かっていることが多く、その場合、所定量の希釈液を小分けすることができる。
【００１２】
本発明において、前記ノズルから吐出される希釈液の量を予め設定する設定手段と、前記計量手段により計量された希釈液の量が前記設定手段により予め設定された設定量となったときに前記開閉弁を閉止する制御手段とを備えていてもよい。
この場合、設定手段により必要量を予め自在に設定することができ、至便である。
【発明を実施するための最良の形態】
【００１３】
実施例１：
以下、本発明の実施例を図面にしたがって説明する。
図１〜図５は実施例１を示す。
小分け装置１の概要：
図１に示す小分け装置１は、たとえば、アスファルトの出荷場などに設置される。
図１に示すように、アスファルト付着防止剤の小分け装置１は、給液部１０および設定・管理部２０を備えている。給液部１０には、容器Ｃにアスファルト付着防止剤の希釈液Ｌ２を供給するためのホースＨが設けられている。前記ホースＨの先端部には、ノズル１９が設けられている。
【００１４】
希釈液Ｌ２を容器Ｃに供給するには、ホースＨのノズル１９を該容器Ｃの注入口に差し込んだ後、設定・管理部２０に所定の操作を行うと、原液が水で希釈され、水と原液とが所定の割合で混合された希釈液Ｌ２が容器Ｃ内に所定量供給される。
【００１５】
機器構成：
流路Ｌの構成；
図２に示すように、前記給液部１０は、水道配管に接続された導入弁１１、減圧弁１２、圧力計１３、開閉弁１４、流量調整弁１５、混合装置１６、原液を貯留するタンク３７、計測部１７、ホースＨ、逆止弁１８およびノズル１９を備えている。
【００１６】
前記導入弁１１は、水道配管から供給される水道水Ｗの小分け装置１内への導入および停止を行う。
減圧弁１２は、前記水道水Ｗの水圧を減圧する。
圧力計１３は、前記減圧された水道水Ｗの水圧を測定する。
開閉弁１４は、たとえば、電磁弁からなり、下流への水道水Ｗの供給ないし停止を行う。
流量調整弁１５は、水道水Ｗの流量を一定に調整するものであり、該流量調整弁１５を調整することにより、水道水Ｗの流量を所望する流量に設定することが可能である。
【００１７】
混合装置１６；
混合装置１６は、前記水道水Ｗの流量に対応するアスファルト付着防止剤の原液Ｌ１をタンク３７から吸い上げ、前記水道水Ｗと原液Ｌ１とを混合し、原液Ｌ１が水道水Ｗによって希釈された希釈液である希釈液Ｌ２を生成する。
なお、前記混合装置１６を作業者が手動で設定することにより、水道水Ｗと原液Ｌ１との混合比を変更することができる。
【００１８】
前記混合装置１６としては、電力を使用せず、水道水Ｗの水圧によって原液Ｌ１を吸い上げる樹脂製の比例式液量計を用いることができる。前記混合装置１６としては、たとえば、ドサトロン・インターナショナル：DOSATRON INTERNATIONAL（登録商標）社の比例式液量計（モデル番号ＤＩ１６）などを採用することができる。かかる混合装置１６は、ボディが樹脂で形成されており、耐圧性があまり高くないが、開閉弁１４の下流に設けられているので開閉弁１４により流路の流れが急激に止まっても、混合装置１６のボディがウォータハンマにより損傷するおそれがない。
【００１９】
混合装置１６の作動原理；
前記混合装置１６は、図７Ａに示すように、送られてきた水道水Ｗがピストン１００を押し、希釈液Ｌ２を排出する。同時に、配合ピストン１０３が原液Ｌ１を吸入し、混合部１０２に送り込む。一方、吸入バルブ１０４が上限位置で図示しないアクチュエータの切り替えにより開き、図７Ｂに示すように、吐出バルブ１０１が閉まる。
その後、ピストン１００が下がり、希釈液Ｌ２の一部が混合部１０２に注入される。その後、図７Ａに示すように、ピストン１００の下限位置で、吐出バルブ１０１が開き、吸入バルブ１０４が閉まり、前述した混合サイクルが繰り返される。
【００２０】
計測部１７は、該計測部１７内を通る希釈液Ｌ２の流れを検出すると、計測信号を給液制御部３０に送信する。計測部１７としては、たとえば、流量計や流速計を用いることができる。
図１に示すように、逆止弁１８およびノズル１９は、ホースＨの先端に設けられている。
【００２１】
制御の構成；
給液部１０には、たとえば、マイクロコンピュータからなる給液制御部３０が設けられている。給液制御部３０には、開閉弁１４、計測部１７、レベルセンサ３６、給液量表示器３８および給液スイッチ３９などが接続されている。
【００２２】
給液量表示器３８は、たとえば、７セグメントのＬＣＤ(Liquid Crystal Display)などを用いることができる。給液量表示器３８には、給液中において、前記ノズル１９から給液された希釈液Ｌ２の給液量が随時表示される。
【００２３】
給液スイッチ３９は、給液を開始するためのＯＮ／ＯＦＦスイッチである。設定・管理部２０において、給液量等の所定の設定が行われた後、給液スイッチ３９がＯＮされると、ノズル１９から希釈液Ｌ２が吐出される。
給液制御部３０は、通信インターフェイス２２を介して設定・管理部２０に接続されている。
【００２４】
前記給液制御部３０は、第１ＣＰＵ３１および第１メモリ３５を備えている。
前記第１ＣＰＵ３１には、開閉弁制御手段３２、残量検出手段３３および積算手段３４などが設けられている。
【００２５】
開閉弁制御手段３２は、前記給液スイッチ３９がＯＮ／ＯＦＦされると、開閉弁１４に開弁信号または閉弁信号を送信する。開閉弁１４は、開閉弁制御手段３２から開弁信号を受信すると開弁される。一方、開閉弁１４は開閉弁制御手段３２から閉弁信号を受信すると閉弁される。
【００２６】
残量検出手段３３は、レベルセンサ３６が検出した原液Ｌ１の上端レベルに対応するレベル信号を受信し、当該レベル信号に基づきタンク３７内の原液Ｌ１の残量を算出する。残量検出手段３３の算出した残量に基づき、設定・管理部２０の管理制御部２１が原液Ｌ１の残量が所定量を下回ったと判別した場合には、スピーカ２６から警報を鳴らすと共に、設定・管理部２０の設定量表示器２３にその旨の表示を行い給液が禁止される。
【００２７】
積算手段３４は、計測部１７から前記計測信号を受信すると、当該計測信号に基づき、計測部１７内を通る流量を積算し、給液量を算出する。したがって、計測部１７および積算手段３４は、希釈液Ｌ２の給液量を計量する計量手段を構成している。第１ＣＰＵ３１は、前記給液量に基づき、前述のように、給液量表示器３８に給液量を表示させる。
【００２８】
設定・管理部２０；
設定・管理部２０は、たとえば、マイクロコンピュータからなる管理制御部２１を備えている。管理制御部２１は、第２ＣＰＵ２１ａおよび第２メモリ２１ｂを備えている。
管理制御部２１には、前記通信インターフェイス２２、設定量表示器２３、キーボード２４、管理スイッチ２５、スピーカ２６、プリンタ２７およびカードリーダ２８などが接続されている。
【００２９】
設定量表示器２３は、たとえば、液晶表示器からなり、図４Ａ〜図５Ｃに示す表示画面が表示される。
キーボード２４は、種々の入力を受け付けると共に、前記ノズル１９から吐出される希釈液Ｌ２の設定量を設定する設定手段を構成している。
プリンタ２７は、たとえば、サーマルプリンタやカッタなどを備えており、伝票発行口２７Ａ（図３）から給液伝票などの発行を行う。前記給液伝票には、たとえば、給液量、給液年月日、給液者名などが印字される。
カードリーダ２８は、カード投入口２８Ａから挿入（投入）された給液カードのカード情報を読み取り、読み取ったカード情報を設定・管理部２０に送信する。前記カード情報としては、カード所有者のＩＤ番号などが記憶されている。管理制御部２１は、当該カード情報に基づき、当該カードが使用可能であるか否かの判別を行う。なお、前記カードとしては、磁気カードやＩＣカードなどを用いることができる。
【００３０】
図１の小分け装置１の正面には、図３に示すように、給液部１０に対応する給液量表示器３８、給液スイッチ３９、逆止弁１８およびノズル１９と、設定・管理部２０に対応する設定量表示器２３、キーボード２４、管理スイッチ２５、スピーカ２６、プリンタ２７およびカードリーダ２８が設けられている。
【００３１】
給液方法：
図４Ａに示すように、小分け装置１の待機状態において、設定量表示器２３には、「カードを読ませてください」という初期画面が表示される。
【００３２】
給液者が図３のカードリーダ２８のカード投入口２８Ａにカードを挿入すると、図２のカードリーダ２８が当該カードに記録されたカード情報を読み取り、カード情報を管理制御部２１に送信する。
設定・管理部２０は、当該カード情報に基づき、該カードが使用可能であれば、図４Ｂに示すように、設定量表示器２３に、「給液量を設定してください」という給液が可能であるという表示を行う。
【００３３】
つぎに、給液者は、図３のキーボード２４を用いて、これから給液を行う希釈液Ｌ２の設定量を入力する。給液者が前記設定量を入力した後、所定の操作を行うと、設定・管理部２０が、図４Ｃに示すように、設定量表示器２３に、設定量と給液方法を表示させる。なお、使用される容器Ｃの種類に応じて、２Ｌ，４Ｌ，１０Ｌ，１８Ｌ，２０Ｌなど複数種類の設定量を予め表示させ、給液者がこれらから給液を行う容器Ｃに対応する設定量を選択できるようにしてもよい。
一方、設定・管理部２０は、当該設定量を給液制御部３０に送信する。
【００３４】
その後、給液者が図１に示す容器Ｃにノズル１９を挿入し、給液スイッチ３９をＯＮすると、給液量表示器３８に表示している前回の給液量をゼロに戻し、開閉弁制御手段３２が開閉弁１４に開弁信号を送信し、開閉弁１４が開弁される。
【００３５】
開閉弁１４が開弁されると、水道水Ｗが流量調整弁１５を通り混合装置１６に導入される。混合装置１６は、前記水道水Ｗの流量に対応する原液Ｌ１をタンク３７から吸い上げ、水道水Ｗと原液Ｌ１とを一定の割合で混合した希釈液Ｌ２を計測部１７に送る。
【００３６】
計測部１７は、該計測部１７内を通る希釈液Ｌ２の流れを検出すると、計測信号を給液制御部３０に送信する。積算手段３４は、計測部１７から計測信号を受信すると、当該計測信号に基づき、計測部１７内を通る流量を積算して給液量を算出する。算出された給液量は給液量表示器３８にリアルタイムに表示される。
【００３７】
前記給液が続けられ、第１ＣＰＵ３１が、積算手段３４が算出した給液量と、前記設定・管理部２０から受信した設定量とが一致したと判断すると、開閉弁制御手段３２が開閉弁１４に閉弁信号を送信し、開閉弁１４が閉弁される。こうして、所望の量の希釈液Ｌ２を数値設定するだけの簡単な操作で確実に得ることができる。
【００３８】
その後、第１ＣＰＵ３１が、図５Ａに示す設定量表示器２３に、容器からノズルを抜いて給液スイッチ３９をＯＦＦにする旨の表示を行わせる。
給液者は、容器からノズルを抜き、給液スイッチ３９をＯＦＦにする。
【００３９】
管理制御部２１は、プリンタ２７に、給液伝票を発行させた後、図５Ｂに示すように、設定量表示器２３に「伝票を取ってください」という表示を行わせる。
【００４０】
その後、管理制御部２１は、図５Ｃに示す初期画面を設定量表示器２３に表示させる。
【００４１】
なお、前記カードに磁気カードやＩＣカードを用いることにより、カード毎の給液の記録を保存して各種集計を行うようにしてもよい。
たとえば、１回ごとに精算を行うようにしてもよいし、カード毎の給液記録を集計して、たとえば、月末締めでの掛け売りを行うようにしてもよい。
また、設定・管理部２０が給液毎に給液量を積算することにより、給液の日報や月報の管理を行うようにしてもよい。
【００４２】
なお、図６に示すように容器Ｃに、たとえば、容器Ｃの種類毎にＲＦＩＤ(Radio Frequency Identification)タグＴｒを貼付し、小分け装置１に設けたＲＦＩＤリーダ５０を用いることにより、当該容器の容量を前記ＲＦＩＤタグから非接触で読み出すようにすれば、給液者が給液量を入力することなく、当該容器Ｃの大きさに合った適切な液量を供給することができる。
【００４３】
また、ノズル１９に操作弁を設けることにより、給液者が該操作弁を開くことで給液が開始されるようにしてもよい。
【００４４】
実施例２：
ここで、季節やアスファルトの種類によって、原液Ｌ１と水道水Ｗとの混合比の異なるアスファルト付着防止剤を用いる場合がある。かかる場合には、図１１Ａに示すように、設定・管理部２０に隣接する同一の筐体内に前記混合比の異なるアスファルト付着防止剤の希釈液Ｌ２が供給されるホースＨ、逆止弁１８およびノズル１９を複数個設けてもよい。
【００４５】
図８〜図１０、及び図１１Ａは実施例２を示す。
図８に示すように、小分け装置１には２系統の第１および第２流路１０Ａ，１０Ｂが設けられている。
前記流路１０Ａ，１０Ｂには、開閉弁１４、流量調整弁１５、混合装置１６ａ（１６ｂ）、計測部１７、逆止弁１８およびノズル１９がそれぞれ設けられている。
【００４６】
前記混合装置１６ａ，１６ｂは、それぞれ異なる希釈量に設定されている。たとえば、一方の混合装置１６ａは水道水Ｗに対する原液Ｌ１の希釈率が１０％（希釈倍率１０倍）に設定されており、他方の混合装置１６ｂは前記希釈率が５％（希釈倍率２０倍）に設定されている。
図１１Ａに示すキーボード２４には、希釈倍率に対応する設定ボタンが設けられている。
その他の構成は、実施例１と同様であり、同一部分または相当部分に同一符号を付して、その説明を省略する。
【００４７】
給液方法：
図９Ａに示すように、小分け装置１（図１１Ａ）の待機状態において、設定量表示器２３には、「カードを読ませてください」という初期画面が表示される。
【００４８】
給液者が図１１Ａのカードリーダ２８のカード投入口２８Ａにカードを挿入すると、設定量表示器２３に希望する希釈倍率を選択する旨の表示（図９Ｂ）がなされる。
給液者がキーボード２４の希釈倍率設定ボタンを押すと、図９Ｃに示すように、設定量表示器２３に希釈倍率（２０倍）が表示されると共に、「給液量を設定してください」と表示される。
【００４９】
つぎに、給液者は、図１１Ａのキーボード２４を用いて、これから給液を行う希釈液Ｌ２の設定量を入力する。給液者が前記設定量を入力した後、所定の操作を行うと、設定量表示器２３に図９Ｄに示す画面が表示される。
たとえば、図１１Ａ（図８）の左側の第１流路１０Ａが１０倍希釈、右側の第２流路１０Ｂが２０倍希釈に設定されている場合、前記設定量表示器２３には、「容器にノズルを入れて右側の給液スイッチをＯＮにしてください」と表示される。
【００５０】
給液者が図１１Ａ（図８）の右側のノズル１９を容器Ｃに入れた後、給液スイッチ３９をＯＮにすると、給液量表示器３８に表示している前回の給液量をゼロに戻し、図８の第２流路１０Ｂの開閉弁１４が開き、給液が開始されると共に、給液量表示器３８に給液量がリアルタイムに表示される。
給液量が前記設定量に達すると、開閉弁１４が閉じて給液が停止される。
【００５１】
その後、図１０Ａに示すように、設定量表示器２３に、ノズル１９を容器Ｃから抜いて給液スイッチ３９をＯＦＦにする旨の表示がなされる。
給液者が、容器Ｃからノズル１９を抜き、給液スイッチ３９をＯＦＦに設定すると、図１１Ａのプリンタ２７の伝票発行口２７Ａから給液伝票が発行され、図１０Ｂに示すように、当該給液伝票を取る旨の表示がなされる。
【００５２】
その後、図１０Ｃに示すように、設定量表示器２３に「カードを読ませてください」という初期画面が表示される。
【００５３】
なお、前述の図１１Ａの変形例として図１１Ｂおよび図１２に示すように、設定・管理部２０の左右の筐体に実施例１の給液部１０を配設して、希釈倍率の異なる希釈液Ｌ２が供給されるホースＨ、逆止弁１８およびノズル１９を設けてもよい。
【００５４】
また、図１３に示すように、設定・管理部２０に隣接する一の給液部１０内のタンク３７に第１および第２混合装置１６ａ，１６ｂおよび分岐弁５１を設けてもよい。かかる構成によれば、一方のノズル１９Ａからは、第１混合装置１６ａによって混合される希釈液Ｌ２が吐出される。他方のノズル１９Ｂからは、第１混合装置１６ａにより生成された希釈液Ｌ２に第２混合装置１６ｂにより更に原液Ｌ１が混合されることにより、ノズル１９Ａから吐出される希釈液よりも原液Ｌ１の濃度の濃い希釈液Ｌ２が吐出される。
なお、分岐弁は希釈液を吐出するノズルに応じて図示しない給液制御部から切り替え制御を行ってもよい。
【００５５】
これらの変形例のその他の構成は、実施例１と同様であり、同一部分または相当部分に同一符号を付して、その説明を省略する。
【産業上の利用可能性】
【００５６】
本発明は、アスファルト付着防止剤の小分け装置に適用することができる。
【図面の簡単な説明】
【００５７】
【図１】本発明の実施例１にかかるアスファルト付着防止剤の小分け装置を示す概略斜視図である。
【図２】小分け装置を示す概略構成図である。
【図３】小分け装置を示す概略正面図である。
【図４】設定量表示器の表示画面を示す概略正面図である。
【図５】設定量表示器の表示画面を示す概略正面図である。
【図６】変形例を示す一部破断した小分け装置の概略斜視図である。
【図７】混合装置の動作原理を示す概略断面図である。
【図８】本発明の実施例２にかかるアスファルト付着防止剤の小分け装置を示す概略構成図である。
【図９】本発明の実施例２にかかる設定量表示器の表示画面を示す概略正面図である。
【図１０】本発明の実施例２にかかる設定量表示器の表示画面を示す概略正面図である。
【図１１】図１１Ａは本発明の実施例２にかかるアスファルト付着防止剤の小分け装置を示す概略正面図、図１１Ｂは変形例を示す小分け装置の概略正面図である。
【図１２】変形例を示す小分け装置の概略斜視図である。
【図１３】変形例を示す給液部の流路を示す概略構成図である。
【符号の説明】
【００５８】
１：小分け装置
１１：手動開閉弁
１２：減圧弁
１４：開閉弁
１５：流量調整弁
１６，１６ａ，１６ｂ：混合装置
１７：計測部（計量手段の一部）
１８：逆止弁
１９：ノズル
３０：給液制御部
３４：積算手段（計量手段の一部）
３７：タンク
Ｌ：流路
Ｌ２：付着防止剤
Ｌ１：原液
Ｗ：水道水
【図１】
2009136765.tif 000003
【図２】
2009136765.tif 000004
【図３】
2009136765.tif 000005
【図４】
2009136765.tif 000006
【図５】
2009136765.tif 000007
【図６】
2009136765.tif 000008
【図７】
2009136765.tif 000009
【図８】
2009136765.tif 000010
【図９】
2009136765.tif 000011
【図１０】
2009136765.tif 000012
【図１１】
2009136765.tif 000013
【図１２】
2009136765.tif 000014
【図１３】
2009136765.tif 000015